【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
入力画像データを処理して保存する画像処理装置であって、
前記入力画像データをベクタデータに変換する変換手段と、
前記入力画像データの種別を判定する判定手段と、
１）前記判定手段で判定した結果、前記入力画像データが第一のデータの種別の場合、前記入力画像データの前記ベクタデータへの変換処理において前記入力画像データから、検索に利用できる情報を抽出し、その後の前記画像処理装置のアイドルタイムに前記ベクタデータから検索に利用できる情報を更に抽出し、２）前記判定手段で判定した結果、前記入力画像データが第二のデータの種別の場合、前記入力画像データに像域分離をすることで検索に利用できる情報を抽出する抽出手段と、
前記抽出手段で抽出した情報を付加情報として、前記ベクタデータと関連付けて保持する保持手段と
を有することを特徴とする画像処理装置。
【請求項２】
前記ベクタデータをビットマップデータに展開する展開手段を更に有し、
前記抽出手段は、
ＰＤＬデータに含まれる文字情報を抽出する文字情報抽出手段と、
前記ビットマップデータに含まれる文字画像を認識して、文字情報を抽出する文字認識手段と、
前記ビットマップデータに含まれる画像の特徴を示す画像情報を抽出する画像情報抽出手段と
を有することを特徴とする請求項１に記載の画像処理装置。
【請求項３】
前記判定手段の判定の結果、前記入力画像データがＰＤＬデータである場合、前記抽出手段は、
前記ＰＤＬデータを前記変換手段によって前記ベクタデータに変換する過程で、前記文字情報抽出手段によって前記ＰＤＬデータに含まれる文字情報を抽出し、
前記画像情報抽出手段によって前記ビットマップデータに含まれる画像の特徴を示す画像情報を抽出し、
前記過程で、前記文字情報抽出手段から文字情報が抽出されない場合には、前記文字認識手段によって前記ビットマップデータに含まれる文字画像を認識して、文字情報を抽出する
ことを特徴とする請求項２に記載の画像処理装置。
【請求項４】
前記判定手段の判定の結果、入力画像データがビットマップデータであるスキャンデータである場合、前記抽出手段は、
前記文字認識手段によって前記ビットマップデータであるスキャンデータに含まれる文字画像を認識して、文字情報を抽出し、
前記画像情報抽出手段によって前記ビットマップデータであるスキャンデータに含まれる画像の特徴を示す画像情報を抽出する
ことを特徴とする請求項２の画像処理装置。
【請求項５】
前記保持手段は、前記抽出手段で抽出した情報を、その種類に応じた種類別の付加情報として、前記ベクタデータと関連付けて保持する
ことを特徴とする請求項３に記載の画像処理装置。
【請求項６】
前記付加情報を検索するための検索条件を入力する入力手段と、
前記入力手段から入力された検索条件に合致する前記付加情報を、前記保持手段から検索する検索手段と、
前記検索手段で検索された付加情報に関連付けられているベクタデータを、検索結果として表示する表示手段と
を更に有することを特徴とする請求項１に記載の画像処理装置。
【請求項７】
前記保持手段は、前記抽出手段で抽出した情報を、その種類に応じた種類別の付加情報として、前記ベクタデータと関連付けて保持し、
前記入力手段は、前記検索条件として、更に、前記付加情報の種類を指定し、
前記検索手段は、前記入力手段から入力された検索条件に合致する、指定された種類の前記付加情報を、前記保持手段から検索する
ことを特徴とする請求項６に記載の画像処理装置。
【請求項８】
前記検索に利用できる情報とは、前記ベクタデータでは可視化されない、前記入力画像データに含まれる情報を含む
ことを特徴とする請求項１に記載の画像処理装置。
【請求項９】
入力画像データを処理して保存する画像処理装置の制御方法であって、
変換手段が、前記入力画像データをベクタデータに変換する変換工程と、
判定手段が、前記入力画像データの種別を判定する判定工程と、
抽出手段が、１）前記判定工程で判定した結果、前記入力画像データが第一のデータの種別の場合、前記入力画像データの前記ベクタデータへの変換処理において、前記入力画像データから、検索に利用できる情報を抽出し、その後の前記画像処理装置のアイドルタイムに前記ベクタデータから検索に利用できる情報を更に抽出し、２）前記判定手段で判定した結果、前記入力画像データが第二のデータの種別の場合、前記入力画像データに像域分離をすることで検索に利用できる情報を抽出する抽出工程と、
保持手段が、前記抽出工程で抽出した情報を付加情報として、前記ベクタデータと関連付けて記憶媒体に保持する保持工程と
を有することを特徴とする画像処理装置の制御方法。
【請求項１０】
入力画像データを処理して保存する画像処理装置の制御をコンピュータに実行させるための、コンピュータ可読媒体に記憶されたプログラムであって、
前記入力画像データをベクタデータに変換する変換工程と、
前記入力画像データの種別を判定する判定工程と、
１）前記判定工程で判定した結果、前記入力画像データが第一のデータの種別の場合、前記入力画像データの前記ベクタデータへの変換処理において、前記入力画像データから、検索に利用できる情報を抽出し、その後の前記画像処理装置のアイドルタイムに前記ベクタデータから検索に利用できる情報を更に抽出し、２）前記判定手段で判定した結果、前記入力画像データが第二のデータの種別の場合、前記入力画像データに像域分離をすることで検索に利用できる情報を抽出する抽出工程と、
前記抽出工程で抽出した情報を付加情報として、前記ベクタデータと関連付けて記憶媒体に保持する保持工程と
をコンピュータに実行させることを特徴とするプログラム。
【手続補正２】
【補正対象書類名】明細書
【補正対象項目名】発明の名称
【補正方法】変更
【補正の内容】
【発明の名称】画像処理装置及びその制御方法、プログラム
【手続補正３】
【補正対象書類名】明細書
【補正対象項目名】０００５
【補正方法】変更
【補正の内容】
【０００５】
上記の目的を達成するための本発明による画像処理装置は以下の構成を備える。即ち、  入力画像データを処理して保存する画像処理装置であって、
前記入力画像データをベクタデータに変換する変換手段と、
前記入力画像データの種別を判定する判定手段と、
１）前記判定手段で判定した結果、前記入力画像データが第一のデータの種別の場合、前記入力画像データの前記ベクタデータへの変換処理において前記入力画像データから、検索に利用できる情報を抽出し、その後の前記画像処理装置のアイドルタイムに前記ベクタデータから検索に利用できる情報を更に抽出し、２）前記判定手段で判定した結果、前記入力画像データが第二のデータの種別の場合、前記入力画像データに像域分離をすることで検索に利用できる情報を抽出する抽出手段と、
前記抽出手段で抽出した情報を付加情報として、前記ベクタデータと関連付けて保持する保持手段と
を有する。
【手続補正４】
【補正対象書類名】明細書
【補正対象項目名】０００６
【補正方法】変更
【補正の内容】
【０００６】
また、好ましくは、前記ベクタデータをビットマップデータに展開する展開手段を更に有し、
前記抽出手段は、
ＰＤＬデータに含まれる文字情報を抽出する文字情報抽出手段と、
前記ビットマップデータに含まれる文字画像を認識して、文字情報を抽出する文字認識手段と、
前記ビットマップデータに含まれる画像の特徴を示す画像情報を抽出する画像情報抽出手段と
を有する。
【手続補正５】
【補正対象書類名】明細書
【補正対象項目名】０００７
【補正方法】変更
【補正の内容】
【０００７】
また、好ましくは、前記判定手段の判定の結果、前記入力画像データがＰＤＬデータである場合、前記抽出手段は、
前記ＰＤＬデータを前記変換手段によって前記ベクタデータに変換する過程で、前記文字情報抽出手段によって前記ＰＤＬデータに含まれる文字情報を抽出し、
前記画像情報抽出手段によって前記ビットマップデータに含まれる画像の特徴を示す画像情報を抽出し、
前記過程で、前記文字情報抽出手段から文字情報が抽出されない場合には、前記文字認識手段によって前記ビットマップデータに含まれる文字画像を認識して、文字情報を抽出する。
【手続補正６】
【補正対象書類名】明細書
【補正対象項目名】０００９
【補正方法】変更
【補正の内容】
【０００９】
また、好ましくは、前記保持手段は、前記抽出手段で抽出した情報を、その種類に応じた種類別の付加情報として、前記ベクタデータと関連付けて保持する。
【手続補正７】
【補正対象書類名】明細書
【補正対象項目名】００１０
【補正方法】変更
【補正の内容】
【００１０】
また、好ましくは、前記付加情報を検索するための検索条件を入力する入力手段と、
前記入力手段から入力された検索条件に合致する前記付加情報を、前記保持手段から検索する検索手段と、
前記検索手段で検索された付加情報に関連付けられているベクタデータを、検索結果として表示する表示手段と
を更に有する。
【手続補正８】
【補正対象書類名】明細書
【補正対象項目名】００１１
【補正方法】変更
【補正の内容】
【００１１】
また、好ましくは、前記保持手段は、前記抽出手段で抽出した情報を、その種類に応じた種類別の付加情報として、前記ベクタデータと関連付けて保持し、
前記入力手段は、前記検索条件として、更に、前記付加情報の種類を指定し、
前記検索手段は、前記入力手段から入力された検索条件に合致する、指定された種類の前記付加情報を、前記保持手段から検索する。
【手続補正９】
【補正対象書類名】明細書
【補正対象項目名】００１２
【補正方法】変更
【補正の内容】
【００１２】
また、好ましくは、前記検索に利用できる情報とは、前記ベクタデータでは可視化されない、前記入力画像データに含まれる情報を含む。
【手続補正１０】
【補正対象書類名】明細書
【補正対象項目名】００１３
【補正方法】変更
【補正の内容】
【００１３】
上記の目的を達成するための本発明による画像処理装置の制御方法は以下の構成を備える。即ち、
入力画像データを処理して保存する画像処理装置の制御方法であって、
変換手段が、前記入力画像データをベクタデータに変換する変換工程と、
判定手段が、前記入力画像データの種別を判定する判定工程と、
抽出手段が、１）前記判定工程で判定した結果、前記入力画像データが第一のデータの種別の場合、前記入力画像データの前記ベクタデータへの変換処理において、前記入力画像データから、検索に利用できる情報を抽出し、その後の前記画像処理装置のアイドルタイムに前記ベクタデータから検索に利用できる情報を更に抽出し、２）前記判定手段で判定した結果、前記入力画像データが第二のデータの種別の場合、前記入力画像データに像域分離をすることで検索に利用できる情報を抽出する抽出工程と、
保持手段が、前記抽出工程で抽出した情報を付加情報として、前記ベクタデータと関連付けて記憶媒体に保持する保持工程と
を有する。
【手続補正１１】
【補正対象書類名】明細書
【補正対象項目名】００１４
【補正方法】変更
【補正の内容】
【００１４】
上記の目的を達成するための本発明によるプログラムは以下の構成を備える。即ち、
入力画像データを処理して保存する画像処理装置の制御をコンピュータに実行させるための、コンピュータ可読媒体に記憶されたプログラムであって、
前記入力画像データをベクタデータに変換する変換工程と、
前記入力画像データの種別を判定する判定工程と、
１）前記判定工程で判定した結果、前記入力画像データが第一のデータの種別の場合、前記入力画像データの前記ベクタデータへの変換処理において、前記入力画像データから、検索に利用できる情報を抽出し、その後の前記画像処理装置のアイドルタイムに前記ベクタデータから検索に利用できる情報を更に抽出し、２）前記判定手段で判定した結果、前記入力画像データが第二のデータの種別の場合、前記入力画像データに像域分離をすることで検索に利用できる情報を抽出する抽出工程と、
前記抽出工程で抽出した情報を付加情報として、前記ベクタデータと関連付けて記憶媒体に保持する保持工程と
をコンピュータに実行させる。